(57)【要約】      （修正有）【課題】直射日光による紫外線や熱、地面、道路、建物からの照返しによる紫外線が当たる事による頬や鼻、顎等の日焼けを防止し、風砂や雪等を防御でき、防寒にもなり、極めてファッション性が高く、必要の無い時は頭収納部と頭部との間に収納できる、又は脱着自在で従来の帽子と同様にも利用できる顔覆い布付き帽子を提供する。【解決手段】頭収納部１ａの下部に顔覆い布を貫通させて下方から上方に引き出し可能なスリット１ｃを設けるか、または、顔覆い布の両端と頭収納部の下部に一対の脱着自在なアタッチメントを設けることによって垂下した顔覆い布で顔を覆うことを特徴とするものである。【選択図】図２
0003184767.tif 000002
【実用新案登録請求の範囲】
【請求項１】
本考案に係る帽子は顔覆い布を帽子から垂下させて顔の目から下の部分を覆うことができることを特徴とするものである。
【請求項２】
本考案に係る帽子は頭収納部とツバの境界付近に顔覆い布を下方から上方に引き出し可能な左右一対のスリットを設け、垂下した顔覆い布部分で顔を覆うことを特徴としたものである。
【請求項３】
請求項２のスリットは、周囲に縁かがり縫いが施されてなる長めのボタンホールであることを特徴とする。
【請求項４】
本考案に係る帽子は頭収納部とツバの境界付近に一対のスリットを設け、顔覆い布を貫通させて下方から上方に引き出して後で結ぶか留め具で留めることでなるが、顔覆い布を必要としない時は顔覆い布を頭収納部と頭の間に収納できることを特徴とするものである。
【請求項５】
本考案に係る帽子は顔覆い布の両端と帽子の裏側の頭収納部の下部付近に脱着自在な面ファスナーやぼたん、スナップ等のアタッチメントを取り付けることにより顔覆い布を簡易に脱着できることを特徴とするものである。
【考案の詳細な説明】
【技術分野】
【０００１】本考案は帽子に係り、特に頭収納部の下部に顔覆い布を垂下させて課題を解決しようとする発明である。
【背景技術】
【０００２】従来、帽子には非常に多くの種類のものが提供され実用に供されているが大別すれば、ツバ付き帽子とツバ無し帽子とに分けられ、これらに殆ど顔の日焼けを防止したり、風砂や雪を避ける機能は無く、たとえ麦藁帽子のような大きなツバ付きの帽子であっても斜めや下からの照返しに対しては、特に顔のうち頬、鼻、顎の日焼けを防止することは極めて困難であった。【０００３】また、これらの他に農業作業用等に開発された後頭部や顔面の日焼け防止布付きの帽子が広く女性の間で使用されているが、これは農業や漁業に携わる主婦、ゴルフ場のキディー、建築、土木に携わる女性等が使用している。しかし、この種の日焼け防止を主目的とした帽子は上記作業用には好適ではあるがその形体からして都会の女性がショッピングや通勤通学、ハイキング、登山やテニス、ゴルフなどの屋外スポーツ、車の運転中に使用できるものでは到底無く、これらの上品さ、軽快さを要求される場面で使用できるファッション性に優れた日焼け防止の可能な帽子は殆ど提供されていかった。また突然の風砂や降雪も然りである。【０００４】そこで、従来は顔の日焼けを防止するためにはタオル等の顔覆い布を別に被ってその上から帽子を被るような極めてファッション性の悪い、上品さも軽快さも無い到底使用することのできないものであった。日傘の使用でも日差しを防ぐことはできるが登山やテニスなどの屋外スポーツや車の運転中等では使用不可能である。【０００５】要するに従来技術では顔覆い布を上品に、軽快に帽子に取り付けられたもので、しかも使用したい時のみ使用することができる帽子とすることが出来なかったのである。【０００６】このため多くの女性が上品さと軽快さを要求される場面での特に顔でも高い部分、頬、鼻、顎の日焼けを防止することができず、紫外線の人体への害を知りつつも、紫外線  対策に苦しんでいるのが現状である。
【先行技術文献】
【０００７】本出願人及び考案者は本考案に対する公知特許文献及び公知非特許文献を知らないので、その記載を省略する。
【考案の概要】
【考案が解決しようとする課題】
【０００８】本考案は上記した従来技術の欠点を除くためになされたものであって、その目的とするところは頭部収納部の下部に顔覆い布を貫通させて下方から上方に引き出し可能な一対のスリットを設ける事により垂下した該顔覆い布で目から下部の顔面を覆い、スリットから布を頭収納部の上に引き出して頭収納部とツバの境目に這わせ後で結ぶなり、留め具で留めて使用する。顔覆い布の調整は後部結び目又は留め具で調整できるので覆いたい面積の調整が出来、顔覆い布を使用したくない時は頭収納  部と頭部との間に簡単に収納することができる。【０００９】また他の方法としては、顔覆い布の両端と帽子の頭収納部下部に一対の脱着可能なアタッチメントを施して使用したい時に瞬時に取り付けて使用することができる。【００１０】顔の中でも特に高く日焼けし易い頬と鼻、顎の部分の直射日光、地面、道路、建物からの照返し、運転中の日差しによる日焼けを防止でき、しかも、使用したい時のみ使用できるという従来では考えられなかった商品価値の高い帽子を提供することにある。【００１１】また、他の目的は頭収納部とツバの境界付近に顔覆い布を貫通させて下方から上方に引き出し可能な左右一対、又、キャップの場合は数対のスリットを設ける事により、スカーフ、ガーゼ、バンダナ等の連続した顔覆い布で顔を覆い布の両端を左右均等にスリットの下部から上部に引き出して頭収納部の周囲からツバの上側に巻きつけてその両端を後部で結ぶなり、留め具で留めることによって、または顔覆い布の両端と帽子の頭収納部の下部に一対の脱着可能なアタッチメントを施すことによって、非常にファッション性に優れ、上品さや軽快さが要求される場面で使用可能であり、又、顔覆い布が不要な時は頭収納部と頭部との間に収納でき、使い分けが出来る。もしくは顔覆い布の両端と帽子の頭収納部の下部に一対の脱着可能なアタッチメントを施すことによって簡単に瞬時に顔覆い布を取り外しのできる、顔のうちでも高く、日焼けし易い頬、鼻、顎の部分の日焼けを防止できるツバ付きの帽子、例えば麦藁帽子、登山帽、キャップ等を提供する事である。【００１２】また他の目的は、スリットの周囲に縁かがり縫いが施されている長めのボタンホールをすることによって、スリットが相当過酷なしかも頻度の高い使用によっても容易にほつれたり破れたりしないようにすることであり長時間に耐えるようにすることである。また後の結び目又は留め具で顔覆い布の長さの調整が可能でしかも、ほとんどコストの上昇を招くことのない機能性の優れた帽子を得ることができる。【００１３】また、他の目的は、顔覆い布の両端と帽子の頭収納部の下部に一対の脱着可能なたとえば両面ファスナー、ボタン、スナップ等を施すだけで使用したい時と不必要な時両方で使用できまた脱着が簡易で瞬時に可能な高機能な帽子を殆どコストの上昇を招くことなく得ることができる。
【課題を解決するための手段】
【００１４】要するに本考案に係る帽子は、頭収納部の下部に顔覆い布を貫通させて下方から上方に引き出し可能なスリットを設けるか、顔覆い布の両端と帽子の頭収納部の下部に一対の脱着可能ナアタッチメントを施す事によって顔覆い布の付いた帽子を特徴とするものである。【００１５】以下本考案を図面に示す実施例に基づいて説明する。図１から図７においては本考案の第一実施例であり、この帽子は頭収納部１ａの下部１ｂに顔覆い布２ａを貫通させて下方から上方に引き出し可能な一対のスリット１ｃを設    けたものである。【００１６】この実施例の帽子は全周にツバの付いた帽子であって、スリット１ｃは頭収納部１ａとツバ１ｄとの境界１ｅ付近に左右一対設けられており、顔覆い布２ａが顔の目の下の部分を覆うことができるようにほぼ中央位置に設けられている。また図６に示すようにスリット１ｃは周囲に縁かがり縫い３が施されてなる長めのボタンホール４として構成されている。そしてボタンホール４はジグザグミシンで簡単に作ることができる。即ちミシンのボタンホール縫いを選んでジグザグ縫いをすれば長めの縁かがり３が形成され、その後ミシンに備え付けのカッターで切断すれば縁かがり縫い３が施されたスリット１ａが完成する。そして図９から図１１に示すように顔覆い布２ａを装着していく。図１０に示すように顔覆い部分を残してもう一方のスリット１ｃに下から上に貫通させて引き出し図１１のようにし、図１２の示すように頭収納部１ａに境界部１ｅに沿って後部に巻きながら後ろで結ぶか留め具で留ることにより図１や図１３に示すような顔覆い布２ａ付きのツバ付き帽子１が完成する。【００１７】本考案の第二実施例は図１５から図１７に示すようにキャップに本考案の第一実施例と同様なスリット１ａを左右対称に設けたものでありこの場合は図１６に示すように一対のボタンホールにプラスして数個のボタンホールを頭収納部の下部に施して図１７に示すように顔覆い布２ａを顔覆い部分を残してボタンホールから引き出した後にいくつか開けたボタンホール４に入れたり出したりくぐらせ巻きつけるように後ろに引き出して図１８に示すように結ぶか留め具で留める。【００１８】本考案の第三実施例は図２３から図２６に示すものであり、［図２４］ように顔覆い布２ｂの両端に面ファスナーのフック部５ｂを取り付け又、［２３図］のように帽子の頭収納部の下部の裏面に面ファスナーのループ部５ａを一対施すことによりどのような形状の帽子にも顔覆い布を脱着可能にしたものである。【００１９】本考案の顔覆い布２ａ、２ｂは図１、図１３、図１９に示すように顔の目より下の部分に垂下し顔を覆うことができる。顔覆い布２ａ、２ｂはスカーフ生地、ガーゼ生地、木綿布、ＵＶカット布等を使用することができる。【００２０】また本考案の第一実施例と第二実施例の帽子は図１４、図２１、図２２に示すように顔覆い布２ａを使用したくない場面では帽子１の頭収納部と頭との間に収納できる。
【考案の効果】
【００２１】本考案は上記のように頭収納部の下部に一対のスリットを設け顔覆い布を下から上に貫通させて顔の前面に垂下させスリットから上に出た部分を頭収納部とツバの境目に巻きつけて、その両端を後で結ぶか留め具で留めることによって、または頭部収納下部に一対と顔覆い布の両端に脱着可能な面ファスナー、ボタン、スナップ等アタッチメントを施する事によって、非常にファッション性に優れ、上品さと軽快さが要求される場面で使用可能であり、使用したくない場面では頭収納部と頭の間に収納するか、取りはずしの出来る、顔のうちでも高く日焼けのしやすい鼻、頬、顎等を直射日光のみならず地面、道路、建物からの照返しを防止でき、しかも突然の風砂や降雪を防げ、寒さに対する保温も可能な従来では考えられなかった商品価値の高い帽子を従来の帽子と変わらないくらいの値段で提供することができる効果がある。【００２２】また本考案は頭部収納部の下部に一対と顔覆い布の両端に脱着可能なもの、たとえば面テープやボタン、スナップ等を施すことによってツバ付きだけでなくどのような形状の帽子にも顔覆い布を取り付けられるという画期的な帽子を提供できる効果がある。
【図面の簡単な説明】
【００２３】
【図１】本考案の第一実施例の顔覆い布を装着している帽子を被った女性の前面図。
【図２】本考案の第一実施例の顔覆い布を装着する前の帽子の斜視図。
【図３】本考案の第一実施例の顔覆い布を装着した帽子の前斜視図。
【図４】本考案の第一実施例の顔覆い布を装着した帽子の後斜視図。
【図５】本考案の第一実施例の顔覆い布を装着する前の帽子の断面図。
【図６】本考案の第一、第二実施例の帽子のスリットの拡大図。
【図７】本考案の第一実施例の顔覆い布を装着した帽子の断面図。
【図８】本考案の第一、第二実施例の顔覆い布の図２ａ第三実施例の顔覆い布の図２ｂ。
【図９】本考案の第一実施例の顔覆い布を最初のスリットに差し込む状態の斜視図。
【図１０】本考案の第一実施例の顔覆い布をもう一方のスリットから引き出す状態の斜視図。
【図１１】本考案の第一実施例の顔覆い布をスリットから引き出し終えた斜視図。
【図１２】本考案の第一実施例の帽子を上方から見た図。
【図１３】本考案の第一実施例の顔覆い布を装着している帽子を被った女性の側面図。
【図１４】本考案の第一実施例の帽子を被り顔覆い布を頭収納部と頭の間に収納した状態の女性の側面図。
【図１５】本考案の第二実施例の顔覆い布を装着する前の帽子の斜視図。
【図１６】本考案の第二実施例の顔覆い布を装着する前の帽子の側面図。
【図１７】本考案の第二実施例の顔覆い布を装着している途中の側面図。
【図１８】本考案の第二実施例の顔覆い布を装着している帽子を被った女性の側面図。
【図１９】本考案の第二実施例の顔覆い布を装着している帽子を被った女性の前面図。
【図２０】本考案の第二実施例の顔覆い布を装着している帽子を被った女性の後面図。
【図２１】本考案の第二実施例の顔覆い布を装着している帽子の顔覆い布を頭収納部と頭の間に収納している途中の女性の前面図。
【図２２】本考案の第二実施例の顔覆い布を装着している帽子の顔覆い布を頭収納部と頭の間に収納している状態の女性の前面図。
【図２３】本考案の第三実施例の帽子の前面の裏面、面ファスナー、フック部が施されたところの図。
【図２４】本考案の第三実施例の帽子の顔覆い布の両端に面ファスナーのループ部が施されたところの図。
【図２５】本考案の第三実施例の帽子の顔覆い布を装着した状態の側面図。
【図２６】本考案のアタッチメントを施した第三実施例の帽子に顔覆い布を装着しているところの図。
【図２７】本考案の帽子を被った女性が炎天下で登山をしている状態を示す図。
【符号の説明】
【００２４】１  帽子
１ａ  頭収納部
１ｂ  頭収納部下部
１ｃ  スリット
１ｄ  ツバ
１ｅ  頭収納部とツバの境界
２ａ  第一、第二実施例の顔覆い布
２ｂ  第三実施例の顔覆い布
３  縁かがり縫い
４  ボタンホール
５ａ  面ファスナーのフック部
５ｂ  面ファスナーのループ部
【図１】
0003184767.tif 000003
【図２】
0003184767.tif 000004
【図３】
0003184767.tif 000005
【図４】
0003184767.tif 000006
【図５】
0003184767.tif 000007
【図６】
0003184767.tif 000008
【図７】
0003184767.tif 000009
【図８】
0003184767.tif 000010
【図９】
0003184767.tif 000011
【図１０】
0003184767.tif 000012
【図１１】
0003184767.tif 000013
【図１２】
0003184767.tif 000014
【図１３】
0003184767.tif 000015
【図１４】
0003184767.tif 000016
【図１５】
0003184767.tif 000017
【図１６】
0003184767.tif 000018
【図１７】
0003184767.tif 000019
【図１８】
0003184767.tif 000020
【図１９】
0003184767.tif 000021
【図２０】
0003184767.tif 000022
【図２１】
0003184767.tif 000023
【図２２】
0003184767.tif 000024
【図２３】
0003184767.tif 000025
【図２４】
0003184767.tif 000026
【図２５】
0003184767.tif 000027
【図２６】
0003184767.tif 000028
【図２７】
0003184767.tif 000029
【手続補正書】
【提出日】平成25年4月22日(2013.4.22)
【手続補正１】
【補正対象書類名】実用新案登録請求の範囲
【補正対象項目名】全文
【補正方法】変更
【補正の内容】
【実用新案登録請求の範囲】
【請求項１】
帽子から垂下させて顔の目から下の部分を覆うことができる顔覆い布を備えたことを特徴とする顔覆い布付き帽子。
【請求項２】
帽子は頭収納部とツバの境界付近に顔覆い布を下方から上方に引き出し可能な左右一対のスリットを設け、垂下した顔覆い布部分で顔を覆うことを特徴とする顔覆い布付き帽子。
【請求項３】
前記スリットは、周囲に縁かがり縫いが施されてなる長めのボタンホールであることを特徴とする請求項２記載の顔覆い布付き帽子。
【請求項４】
帽子は頭収納部とツバの境界付近に一対のスリットを設け、顔覆い布を貫通させて下方から上方に引き出して後で結ぶか留め具で留めることでなるが、顔覆い布を必要としない時は顔覆い布を頭収納部と頭の間に収納できることを特徴とするものである顔覆い布付き帽子。
【請求項５】
帽子は顔覆い布の両端と帽子の裏側の頭収納部の下部付近に脱着自在な面ファスナーやぼたん、スナップ等のアタッチメントを取り付けることにより顔覆い布を簡易に脱着できることを特徴とする顔覆い布付き帽子。